(57)【要約】【課題】住宅にも適用でき、簡単かつ精度良く中性化深さを測定することのできる、コンクリート構造物の中性化深さ測定装置および方法を提供する。【解決手段】コンクリート構造物の中性化深さ測定装置は、長手方向に沿って目盛（２６）が付され、コンクリート構造物（９）のドリル孔（９０）に挿入される透明な筒体（２１）と、ドリル孔（９０）の内壁面に当接するように筒体（２１）の先端部に取り付けられ、フェノールフタレイン溶液を含浸する弾性部材（２２）とを備える。【選択図】図７
2018159582.tif 000002
【特許請求の範囲】
【請求項１】
長手方向に沿って目盛が付され、コンクリート構造物のドリル孔に挿入される透明な筒体と、
前記ドリル孔の内壁面に当接するように前記筒体の先端部に取り付けられ、フェノールフタレイン溶液を含浸する弾性部材とを備える、コンクリート構造物の中性化深さ測定装置。
【請求項２】
前記弾性部材の断面形状は略円形であり、
前記弾性部材の径は、前記ドリル孔の径よりも大きい、請求項１に記載のコンクリート構造物の中性化深さ測定装置。
【請求項３】
前記筒体は円筒形状であり、
前記筒体の径は、前記ドリル孔の径と略等しい、請求項１または２に記載のコンクリート構造物の中性化深さ測定装置。
【請求項４】
前記筒体の後端部に取り付けられた小型カメラをさらに備える、請求項１〜３のいずれかに記載のコンクリート構造物の中性化深さ測定装置。
【請求項５】
前記小型カメラは、前記筒体の内部において移動および／または回転可能に配置されている、請求項４に記載のコンクリート構造物の中性化深さ測定装置。
【請求項６】
前記小型カメラの映像を表示する表示装置をさらに備える、請求項４または５に記載のコンクリート構造物の中性化深さ測定装置。
【請求項７】
前記表示装置は、前記コンクリート構造物の中性化深さおよび築年数を入力するための入力手段と、入力された中性化深さおよび築年数に基づいて、中性化進行速度の予測値を算出する算出手段と、中性化進行速度の予測値の算出結果を出力する結果出力手段とを含む、請求項６に記載のコンクリート構造物の中性化深さ測定装置。
【請求項８】
前記筒体の内部を照らす照射手段をさらに備える、請求項１〜７のいずれかに記載のコンクリート構造物の中性化深さ測定装置。
【請求項９】
前記筒体の外周面に取り付けられ、前記ドリル孔への挿入時に前記筒体の姿勢を維持させる姿勢維持手段をさらに備える、請求項１〜８のいずれかに記載のコンクリート構造物の中性化深さ測定装置。
【請求項１０】
コンクリート構造物にドリル孔をあける工程と、
長手方向に沿って目盛が付された透明な筒体と、前記筒体の先端部に取り付けられ、フェノールフタレイン溶液を含浸する弾性部材とを含む測定具を準備する工程と、
前記ドリル孔の内壁面に前記弾性部材を当接させながら、前記コンクリート構造物のドリル孔に前記筒体を挿入する工程とを備える、コンクリート構造物の中性化深さ測定方法。
【発明の詳細な説明】
【技術分野】
【０００１】
本発明は、コンクリート構造物の中性化深さ測定装置および方法に関する。
【背景技術】
【０００２】
コンクリート構造物の内部の鉄筋は、コンクリートのアルカリ性により守られている。経年等によりコンクリートの中性化が進行すると、鉄筋に錆が生じたり、腐食しやすい状態となる。そのため、コンクリート構造物の劣化予測の観点から、中性化の進行状況を把握することが重要である。
【０００３】
コンクリート構造物の中性化深さを測定する方法としては、様々な方法が存在するが、住宅の基礎等、比較的小規模のコンクリート構造物における測定方法としては、ドリル法が一般的である。ドリル法は、ドリル削孔粉が落ちる位置に、フェノールフタレイン溶液を染み込ませたろ紙等を設置し、ドリル削孔粉が変色した時点で直ちにドリル削孔を停止し、その際のドリル孔の深さを中性化深さとして測定する方法である。
【０００４】
また、特開２００５−２３３８１９号公報（特許文献１）には、ドリルにより所定の深さまでコンクリート構造物に孔をあけ、このドリル孔に、フェノールフタレイン溶液を霧吹き状に噴射した後で、先端に発光部および受光部を備えたプローブを挿入して、ドリル孔の内壁面（内部表面）の色の変化を検知する技術が提案されている。
【先行技術文献】
【特許文献】
【０００５】
【特許文献１】特開２００５−２３３８１９号公報
【発明の概要】
【発明が解決しようとする課題】
【０００６】
従来のドリル法によりコンクリート構造物の中性化深さを測定する場合、環境の影響（風、雨、雪など）を受けるため、正確な測定結果を得ることが難しい。そのため、同じ構造物であっても、測定結果にばらつきが生じるという問題がある。
【０００７】
特許文献１の測定方法では、ドリル孔の内壁面にフェノールフタレイン溶液を霧吹き状に噴射するため、従来のドリル法に比べて環境の影響を受け難い。しかし、特許文献１のように、ドリル孔にフェノールフタレイン溶液を噴射する場合、ドリル孔の径が小さいほど、ドリル孔の内壁面に均一にフェノールフタレイン溶液を塗布することが困難である。ドリル孔の内壁面にフェノールフタレイン溶液が均一に塗布されていない場合、中性化深さを正確に測定することができない。
【０００８】
ドリル孔の径を大きくしてフェノールフタレイン溶液をムラなく塗布することも考えられるが、美観が重要視される住宅向けの検査方法としては不向きである。また、現場にてより簡単に中性化深さを測定できる技術が求められていた。
【０００９】
本発明は、上記のような課題を解決するためになされたものであって、その目的は、住宅にも適用でき、簡単かつ精度良く中性化深さを測定することのできる、コンクリート構造物の中性化深さ測定装置および方法を提供することである。
【課題を解決するための手段】
【００１０】
この発明のある局面に従うコンクリート構造物の中性化深さ測定装置は、長手方向に沿って目盛が付され、コンクリート構造物のドリル孔に挿入される透明な筒体と、ドリル孔の内壁面に当接するように筒体の先端部に取り付けられ、フェノールフタレイン溶液を含浸する弾性部材とを備える。
【００１１】
好ましくは、弾性部材の断面形状は略円形であり、弾性部材の径は、ドリル孔の径よりも大きい。
【００１２】
好ましくは、筒体は円筒形状であり、筒体の径は、ドリル孔の径と略等しい。
【００１３】
好ましくは、コンクリート構造物の中性化深さ測定装置は、筒体の後端部に取り付けられた小型カメラをさらに備える。
【００１４】
小型カメラは、筒体の内部において移動および／または回転可能に配置されていてもよい。
【００１５】
好ましくは、コンクリート構造物の中性化深さ測定装置は、小型カメラの映像を表示する表示装置をさらに備える。
【００１６】
この場合、表示装置は、コンクリート構造物の中性化深さおよび築年数を入力するための入力手段と、入力された中性化深さおよび築年数に基づいて、中性化進行速度の予測値を算出する算出手段と、中性化進行速度の予測値の算出結果を出力する結果出力手段とを含むことが望ましい。
【００１７】
好ましくは、コンクリート構造物の中性化深さ測定装置は、筒体の内部を照らす照射手段をさらに備える。
【００１８】
また、コンクリート構造物の中性化深さ測定装置は、筒体の外周面に取り付けられ、ドリル孔への挿入時に筒体の姿勢を維持させる姿勢維持手段をさらに備えることも望ましい。
【００１９】
この発明の他の局面に従うコンクリート構造物の中性化深さ測定方法は、コンクリート構造物にドリル孔をあける工程と、長手方向に沿って目盛が付された透明な筒体と、筒体の先端部に取り付けられ、フェノールフタレイン溶液を含浸する弾性部材とを含む測定具を準備する工程と、ドリル孔の内壁面に弾性部材を当接させながら、コンクリート構造物のドリル孔に筒体を挿入する工程とを備える。
【発明の効果】
【００２０】
本発明によれば、筒体の先端部に、フェノールフタレイン溶液を含浸する弾性部材が取り付けられるため、ドリル孔が比較的小さくても、ドリル孔の内壁面にフェノールフタレイン溶液を均一に塗布することができる。したがって、本発明に係るコンクリート構造物の中性化深さ測定装置および方法を、住宅にも適用することができる。また、フェノールフタレイン溶液を塗布しながら、中性化深さを測ることができるため、簡単かつ精度良く中性化深さを測定することが可能となる。
【図面の簡単な説明】
【００２１】
【図１】本発明の実施の形態に係るコンクリート構造物の中性化深さ測定装置の概略構成を示す図である。
【図２】本発明の実施の形態に係るコンクリート構造物の中性化深さ測定装置に含まれる測定具の外観を示す側面図である。
【図３】本発明の実施の形態における測定具の筒体および弾性部材の外観を示す斜視図である。
【図４】本発明の実施の形態における測定具の筒体内に配置される撮影部の構成例を模式的に示す図である。
【図５】本発明の実施の形態において、測定具の筒体に付された目盛を示す図である。
【図６】本発明の実施の形態に係るコンクリート構造物の中性化深さ測定方法を示すフローチャートである。
【図７】図６に示すフローチャートの工程Ｐ１およびＰ２を模式的に示す図である。
【図８】図６に示すフローチャートの工程Ｐ３を模式的に示す図である。
【図９】図６に示すフローチャートの工程Ｐ３３を模式的に示す図である。
【図１０】本発明の実施の形態の変形例に係るコンクリート構造物の中性化深さ測定装置に含まれる表示装置の機能構成を示す機能ブロック図である。
【図１１】本発明の実施の形態の変形例における表示装置の画面構成例を示す図である。
【発明を実施するための形態】
【００２２】
本発明の実施の形態について図面を参照しながら詳細に説明する。なお、図中同一または相当部分には同一符号を付してその説明は繰返さない。
【００２３】
図１は、本実施の形態に係るコンクリート構造物の中性化深さ測定装置（以下「測定装置」と略す）１の概略構成を示す図である。図１に示されるように、測定装置１は、コンクリート構造物のドリル孔に挿入される測定具２と、測定具２にケーブル５を介して接続された表示装置３とを備える。
【００２４】
（測定具の構成について）
図２は、本実施の形態における測定具２の外観を示す側面図である。図３は、本実施の形態における測定具２の筒体２１および弾性部材２２の外観を示す斜視図である。測定具２は、透明な筒体２１と、筒体２１の先端部に取り付けられた弾性部材２２と、筒体２１の後端部に取り付けられた撮影部２５と、筒体２１の外周面に取り付けられた姿勢維持手段２７とを含む。
【００２５】
筒体２１は、典型的には円筒形状である。筒体２１には、長手方向（軸方向）に沿って目盛２６が付されている。目盛２６は、筒体２１の円周上の二箇所に設けられている。一方の目盛２６と他方の目盛２６とは、互いに対面する位置に設けられている。
【００２６】
弾性部材２２は、フェノールフタレイン溶液を含浸でき、弾性力を有する円柱形状の部材である。弾性部材２２は、たとえば多孔質の部材であり、典型的にはスポンジである。弾性部材２２の径Ｌ２は、筒体２１の径Ｌ１よりも大きい。弾性部材２２は、筒体２１の先端に着脱可能なキャップ（図示せず）に接着される。このキャップは、防水性を有する部材で形成される。これにより、弾性部材２２に含浸されたフェノールフタレイン溶液が筒体２１内部に漏れ入ることを防止することができる。なお、キャップに代えて、防水シートに弾性部材２２が接着される構成であってもよい。
【００２７】
撮影部２５は、筒体２１の後端に取り付けられた保持部２８によって、筒体２１の内部に保持される。撮影部２５が筒体２１の内部に保持されるため、撮影部２５の埃や汚れが付着することを防止することができる。
【００２８】
本実施の形態では、保持部２８は、固定部材２３と可動部材２４とで構成される。固定部材２３は、筒体２１の後端に固定され、中央に貫通孔２３０（図８等）を有する。可動部材２４は、固定部材２３の貫通孔２３０に挿通され、その先端に撮影部２５が設けられた棒状の部材である。図３には、筒体２１の内部に配置される撮影部２５、および、撮影部２５が固定された可動部材２４が、模式的に示されている。
【００２９】
固定部材２３は、筒体２１よりも大径の円板形状であり、筒体２１の後端側を塞ぐキャップ体として機能する。可動部材２４は、筒体２１の長手方向に沿って進退可能に設けられている。これにより、筒体２１の内部における撮影部２５の位置を、調整することができる。また、可動部材２４は筒状に形成され、撮影部２５に電力を供給する電力線および信号線が可動部材２４内に配される。
【００３０】
なお、可動部材２４のうち筒体２１の外に露出する部分、および／または、固定部材２３は、測定具２をドリル孔に挿入する際に作業者により把持される把持部としても機能する。
【００３１】
撮影部２５は、図４に示されるように、小型カメラ２５１と、照射手段の一例である複数のＬＥＤ（Light Emitting Diode）２５２とで構成されている。小型カメラ２５１は、ファイバースコープなど、超小型の撮影手段であり、筒体２１の内部空間を撮影する。小型カメラ２５１の撮影範囲は、撮影範囲内に少なくとも目盛２６が入るように設定されている。
【００３２】
ＬＥＤ２５２は、筒体２１の内部空間を照射する。ＬＥＤ２５２は、小型カメラ２５１の撮影範囲を偏りなく照射するために、小型カメラ２５１の周囲にたとえば等間隔で配置される。
【００３３】
小型カメラ２５１の撮影映像は、ケーブル５を介して表示装置３に出力される。図１に示されるように、表示装置３は表示部３０を有しており、表示部３０に、小型カメラ２５１の撮影映像が表示される。本実施の形態では、表示装置３は単なるモニタであってもよい。
【００３４】
筒体２１の目盛２６は、筒体２１の略全長に亘って付されている。図５を参照して、目盛２６を構成する各線２６１は、たとえば、１ｍｍ単位で設けられ、５ｍｍごとに他の線よりも線の長さが長い区切り線２６２が設けられている。なお、目盛２６は、筒体２１の円周上の一箇所においてのみ設けられていてもよい。
【００３５】
姿勢維持手段２７は、ドリル孔への筒体２１の挿入時に、筒体２１の姿勢を適正な姿勢に維持させる手段である。姿勢維持手段２７は、筒体２１に直交する方向に延びる、たとえば円環状のフランジ部材により構成される。姿勢維持手段２７は、筒体２１の長手方向に沿ってスライド移動可能に取り付けられている。具体的には、姿勢維持手段２７は、弾性部材２２と固定部材２３との間を移動可能である。
【００３６】
（測定方法について）
図６のフローチャートおよび図７〜図９を参照して、本実施の形態におけるコンクリート構造物の中性化深さの測定方法について説明する。なお、各図においては、理解の容易のために、筒体２１および弾性部材２２の径方向の大きさを拡大して示している。
【００３７】
図７に示されるように、はじめに、作業者は、ドリル（図示せず）を用いて、コンクリート構造物９に所定の深さまで孔（ドリル孔）９０をあける（工程Ｐ１）。コンクリート構造物９は、たとえば住宅等の建物の基礎の立上り部であり、その厚み寸法（表面９１からの奥行き寸法）は、たとえば１５０ｍｍ程度である。
【００３８】
ドリル孔９０は、コンクリート構造物９の表面９１に対し略直角にあけられる。ドリル孔９０の深さは、たとえば５０ｍｍ程度である。ドリル孔９０は円形であり、ドリル孔９０の径Ｌ３は、５ｍｍ以下であることが望ましく、たとえば２ｍｍ程度である。
【００３９】
次に、作業者は、弾性部材２２にフェノールフタレイン溶液を含浸させて、測定具２を準備する（工程Ｐ２）。その後、測定具２をゆっくりとドリル孔９０に挿入する（工程Ｐ３）。この工程において、作業者は、ドリル孔９０の内壁面に弾性部材２２を当接させながら、筒体２１をドリル孔９０に挿入する。筒体２１の軸方向長さは、ドリル孔９０の深さよりも長く、５０ｍｍ以上である。
【００４０】
ここで、筒体２１は、その径Ｌ１（図２）が、ドリル孔９０の径Ｌ３と略等しくなるように形成されている。つまり、筒体２１の径Ｌ１もまた、たとえば２ｍｍ程度である。なお、筒体２１はドリル孔９０に挿入されるため、筒体２１の径Ｌ１はドリル孔９０の径Ｌ３よりも若干小さい。
【００４１】
これに対し、弾性部材２２の径Ｌ２（図２）は、ドリル孔９０の径Ｌ３よりも大きく、たとえば３ｍｍ程度である。このように、弾性部材２２の径Ｌ２がドリル孔９０の径Ｌ３よりも大きいため、図８に示されるように、弾性部材２２は径方向に縮められた状態でドリル孔９０に挿入される。なお、ドリル孔９０への挿入を容易にするために、弾性部材２２の先端部はテーパ状に形成されていてもよい。
【００４２】
そのため、測定具２をドリル孔９０の奥に進めていく際、弾性部材２２の弾性力によって、弾性部材２２の外周面がドリル孔９０の内壁面に擦り付けられる。これにより、ドリル孔９０の内壁面に、均一にフェノールフタレイン溶液が塗布される（工程Ｐ３１）。
【００４３】
測定具２をドリル孔９０に挿入する際には、図８に示すように、姿勢維持手段２７としてのフランジ部材をコンクリート構造物９の表面９１に密着させた状態で、筒体２１を奥に進める。これにより、筒体２１の姿勢が、コンクリート構造物９の表面９１に対して略直角に維持されるため、ドリル孔９０に筒体２１を真っ直ぐ挿入することができる。その結果、ドリル孔９０の内壁面に、ムラなくフェノールフタレイン溶液を塗布することができる。
【００４４】
弾性部材２２がドリル孔９０の奥に進められる間、小型カメラ２５１による映像が表示装置３の表示部３０に表示される。筒体２１は透明であるので、表示部３０には、筒体２１の外周面に対面するドリル孔９０の内壁面が表示される。
【００４５】
このように、本実施の形態では、測定具２をドリル孔９０に挿入している過程で、作業者は、表示装置３の表示部３０を見ながら、ドリル孔９０の内壁面における変色部分と無色部分との境界位置を確認することができる。境界位置が確認できると、筒体２１に付された目盛２６によって、無色部分の深さ、すなわち中性化深さを測定する（工程Ｐ３２）。
【００４６】
図５では、コンクリート構造物９の表面９１の位置を想像線Ｌａ、色の境界位置を想像線Ｌｂで示している。この場合、コンクリート構造物９の中性化深さＤは、想像線Ｌａから想像線Ｌｂまでの長さに相当する。本実施の形態では、目盛２６は、筒体２１の長手方向に延びる１本の直線２６０を有しており、この直線２６０に各線２６２の一端が交差している。これにより、想像線Ｌｂで示す境界位置が、視覚的に認識し易くなるという効果がある。
【００４７】
無色部分の深さを測る際に、作業者は、適宜、図９に示されるように、可動部材２４を筒体２１の長手方向に沿って進退させて、小型カメラ２５１による撮影箇所を調整することができる（工程Ｐ３３）。これにより、中性化深さの測定誤りを防止することができる。
【００４８】
中性化深さが測定できると、作業者は、測定具２をドリル孔９０から引き抜く（工程Ｐ４）。その後、ドリル孔９０にシーリングを充填して、ドリル孔９０を塞ぐ（工程Ｐ５）。
【００４９】
このように、本実施の形態では、測定具２の先端に、ドリル孔９０よりも大径の弾性部材２２が取り付けられている。そのため、ドリル孔９０の径を小さくしても、弾性部材２２の弾性力を利用して、ドリル孔９０の内壁面にフェノールフタレイン溶液を均一に塗布することができる。
【００５０】
ドリル孔９０に従来のようにフェノールフタレイン溶液を噴霧する方法の場合、ドリル孔９０に溶液を噴霧し過ぎると、中性化が進んでいる箇所も変色する可能性があるため、測定誤差が生じ得る。これに対し、本実施の形態では、弾性部材２２によりドリル孔９０の内壁面に溶液を均一に塗布できるため、測定精度を向上させることができる。
【００５１】
また、弾性部材２２は、目盛２６が付された透明な筒体２１の先端部に取り付けられているため、フェノールフタレイン溶液をドリル孔９０の内壁面に塗布しながら、コンクリート構造物９の中性化深さを測ることができる。つまり、測定具２をドリル孔９０に挿入する工程（Ｐ３）において、フェノールフタレイン溶液の塗布（工程Ｐ３１）と、中性化深さの測定（工程Ｐ３２）とを並行して行うことができる。したがって、ドリル孔９０に測定具２を一度挿入するだけで、フェノールフタレイン溶液の塗布と、中性化深さの測定とを完了することができる。その結果、従来よりも、簡単かつ短時間で、精度良く中性化深さを測定することが可能となる。
【００５２】
また、本実施の形態によれば、ドリル孔９０を小さくすることができるため、測定後にドリル孔９０に充填するシーリング材の量を少量とすることができる。また、シーリングにより塞がれたドリル孔９０は目立たず、美観の低下を抑制することができる。したがって、本実施の形態における測定方法を、美観が重要視される住宅にも適用することが可能である。
【００５３】
なお、本実施の形態では、撮影部２５は、筒体２１の長手方向に沿って移動可能であることとしたが、撮影部２５は、さらに、筒体２１の内部において回転可能に配置されていてもよい。あるいは、撮影部２５は、筒体２１の後端部に、移動および回転不能に取り付けられていてもよい。
【００５４】
また、弾性部材２２が円柱形状であることとしたが、限定的でない。弾性部材２２の断面形状が略円形であれば、弾性部材２２は楕円柱形状であってもよいし、球状であってもよい。あるいは、弾性部材２２の断面形状は略円形でなくてもよい。
【００５５】
（変形例）
上述の実施の形態では、表示装置３は、単に、小型カメラ２５１で撮影された映像を表示する装置として説明したが、表示装置において中性化進行速度の予測結果を確認できることとしてもよい。この場合の表示装置の機能および動作について、以下に説明する。
【００５６】
図１０は、本実施の形態の変形例における表示装置３Ａの機能構成を示す機能ブロック図である。図１０を参照して、表示装置３Ａは、各種演算処理を行う演算処理部３１と、小型カメラ２５１からの映像信号を入力し、デジタル信号に変換して演算処理部３１に出力する映像入力部３２と、各種プログラムおよびデータを記憶するメモリ３３と、ユーザからの指示を受け付ける操作部３４と、各種データを他装置等に送信する送信部３５とを備える。
【００５７】
本変形例における表示装置３Ａは、たとえばタブレット型の端末である。この場合、表示部３０と操作部３４とは一体的に形成されてタッチパネル３６を構成する。
【００５８】
演算処理部３１は、その機能として、中性化進行速度の予測値を算出する算出部３７を含む。算出部３７の機能は、メモリ３３に予め記憶されたアプリケーションプログラムを実行することで実現される。
【００５９】
算出部３７は、ＪＩＳ  Ａ  １１５２に定められた予測式に基づいて、中性化進行速度の予測値を算出する。中性化深さ（単位：ｍｍ）を「ｙ」、中性化速度係数（単位：ｍｍ／年）を「ｂ」、コンクリート構造物の築年数を「ｘ」とすると、次の関係が成り立つ。
ｙ＝ｂ√ｘ
よって、中性化進行速度は、次の予測式（１）により求められる。
ｂ＝ｙ／√ｘ      ・・・（１）
【００６０】
図１１は、本変形例における表示装置３Ａのタッチパネル３６の画面構成例を示す図である。図１１に示されるように、タッチパネル３６は、映像入力部３２から得られた画像を表示する画像表示領域４１と、数値入力欄を含むデータ入力領域４２と、予測式（１）による予測結果を表示（出力）する結果表示領域４３とを含む。また、タッチパネル３６には、予測結果の送信および保存を指示するための指示ボタン４４が表示される。
【００６１】
データ入力領域４２は、「中性化深さ」の入力欄４２１と、築年数の入力欄４２２とを含む。データ入力領域４２に含まれるこれらの入力欄４２１，４２２は、コンクリート構造物の中性化深さおよび築年数を入力するための入力手段を構成する。
【００６２】
結果表示領域４３は、予測式（１）による計算結果を表示する領域４３１と、中性化劣化予測のグラフを表示する領域４３２とを含む。結果表示領域４３に含まれるこれらの領域４３１，４３２は、中性化進行速度の予測値の算出結果を出力する結果出力手段を構成する。
【００６３】
作業者は、測定具２の筒体２１をドリル孔９０に挿入している段階で（図６の工程Ｐ３において）、画像表示領域４１に表示された画像を見ながら、コンクリート構造物９のドリル孔９０の内壁面の無色部分の深さを測る。目視により測定した無色部分の深さを、コンクリート構造物９の中性化深さとして入力欄４２１に入力する。また、検査対象のコンクリート構造物９の築年数を、入力欄４２２に入力する。
【００６４】
双方の欄４２１，４２２に数値が入力されると、演算処理部３１の算出部３７は、上記予測式（１）と、入力欄４２１，４２２に入力された数値（すなわち中性化深さおよび築年数）とに基づいて、中性化進行速度を計算する。
【００６５】
算出部３７により計算された予測値が、領域４３１に表示される。また、計算結果に基づく劣化予測グラフが、領域４３２に表示される。
【００６６】
このように、本変形例によれば、コンクリート構造物９の中性化深さだけでなく、コンクリート構造物９の中性化進行速度まで、現場で簡単に知ることができる。したがって、検査対象のコンクリート構造物９の補修工事の時期等をその場で判断できる。
【００６７】
結果表示領域４３に予測結果が表示された後、ユーザにより指示ボタン４４がタッチされると、演算処理部３１は、予測結果をメモリ３３に保存するとともに、送信部３５を介してサーバに送信する。これにより、現場の作業だけでなく、検査対象の建物の管理を行う事務所側の作業負担も軽減することが可能となる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１  測定装置、２  測定具、３，３Ａ  表示装置、５  ケーブル、９  コンクリート構造物、２１  筒体、２２  弾性部材、２３  固定部材、２４  可動部材、２５  撮影部、２６  目盛、２７  姿勢維持手段、２８  保持部、３０  表示部、３１  演算処理部、３２  映像入力部、３３  メモリ、３４  操作部、３５  送信部、３６  タッチパネル、３７  算出部、４１  画像表示領域、４２  データ入力領域、４３  結果表示領域、４４  指示ボタン、９０  ドリル孔、２５１  小型カメラ、２５２  ＬＥＤ。
【図１】
2018159582.tif 000003
【図２】
2018159582.tif 000004
【図３】
2018159582.tif 000005
【図４】
2018159582.tif 000006
【図５】
2018159582.tif 000007
【図６】
2018159582.tif 000008
【図７】
2018159582.tif 000009
【図８】
2018159582.tif 000010
【図９】
2018159582.tif 000011
【図１０】
2018159582.tif 000012
【図１１】
2018159582.tif 000013